(57)【要約】【課題】  洗面ボウルが使い勝手よく簡便に組み込まれた対面式厨房装置を提供すること。【解決手段】  キッチンとリビング・ダイニングルームとの境界に設置される対面式厨房装置において、シンク１をキッチン側に、洗面ボウル２をリビング・ダイニングルーム側に備え、洗面ボウルが、シンクの背側からキッチンダイニング・ルーム側にかけて設けられたカウンター部５の下方に収納されるとともに、シンクに対面して配置され、洗面ボウルの上方に位置するカウンター部の天板６の一部が上下に回動する蓋体７を兼ねている。【選択図】 図１
2007054409.tif 000002
【特許請求の範囲】
【請求項１】
キッチンとリビング・ダイニングルームとの境界に設置される対面式厨房装置において、シンクをキッチン側に、洗面ボウルをリビング・ダイニングルーム側に備え、洗面ボウルが、シンクの背側からキッチンダイニング・ルーム側にかけて設けられたカウンター部の下方に収納されるとともに、シンクに対面して配置され、洗面ボウルの上方に位置するカウンター部の天板の一部が上下に回動する蓋体を兼ねていることを特徴とする対面式厨房装置。
【請求項２】
蓋体の裏面に鏡が設けられているかまたは蓋体の裏面が鏡面になっている請求項１記載の対面式厨房装置。
【請求項３】
蓋体は、一つの回動軸または二つの回動軸により上下に回動自在とされている請求項２記載の対面式厨房装置。
【請求項４】
蓋体の左右両側に支持アームが設けられ、支持アームの一端が、カウンター部に、水平に配置された第１の回動軸により支持され、他端が、水平に配置された第２の回動軸を介して蓋体に接続されている請求項３記載の対面式厨房装置。
【請求項５】
蓋体は横に二分割され、第１の蓋体は、キッチン側の一端部においてカウンター部に、水平に配置された第１の回動軸により支持され、第２の蓋体は、一端部において第１の蓋体の他端部に、水平に配置された第２の回動軸により支持されている請求項３記載の対面式厨房装置。
【請求項６】
蓋体は横に二分割され、第１の蓋体は、キッチン側の一端部においてカウンター部に、水平に配置された回動軸により支持され、第２の蓋体は、第１の蓋体に、上下左右に回動自在に支持されている請求項３記載の対面式厨房装置。
【請求項７】
山型形状を有し、蓋体の下端部を係止可能な係止部が連設された角度調整ラックが、カウンター部の上端部において洗面ボウル側の側面に配設され、角度調整ラックは、リビング・ダイニングルーム側からキッチン側に向かって延びている請求項４記載の対面式厨房装置。
【請求項８】
蓋体または第１の蓋体のキッチン側の側端部に、先端にクリック球を有する弾性体が配設され、蓋体または第１の蓋体のキッチン側の側端部に対向するカウンター部の側面に、クリック球の係合が可能な複数の係合穴が形成され、係合穴が円弧状に配列している角度調整板が設けられている請求項３、５または６記載の対面式厨房装置。
【請求項９】
蓋体の閉時の側端部に対向するカウンター部の側面に、リビング・ダイニングルーム側からキッチン側に向かって延びる第１のガイドレールが設けられるとともに、カウンター部の洗面ボウル側の側面には、蓋体の略中央部に対応する部位からキッチン側に向かって斜め下方に延びる第２のガイドレールが設けられ、蓋体の側端部に、第１のガイドレール上を転動して移動可能な第１のコロと第２のガイドレール上を転動して移動可能な第２のコロが設けられ、第１のコロは、蓋体の閉時にリビング・ダイニングルーム側に位置する一端部に配置され、第２のコロは、蓋体の略中央に配置され、第１のコロの第１のガイドレール上の移動および第２のコロの第２のガイドレール上の移動によって、蓋体が上下に回動する請求項２記載の対面式厨房装置。
【請求項１０】
蓋体の閉時の側端部に対向するカウンター部の側面に、リビング・ダイニングルーム側からキッチン側に向かって延びるガイドレールが設けられ、蓋体の側端部の略中央にガイドレール上を転動して移動可能なコロが設けられ、蓋体は、コロを中心として上下に回動可能であるとともに、コロのガイドレール上の移動にともなって前後動も可能とされている請求項２記載の対面式厨房装置。
【請求項１１】
洗面ボウルの配設位置に対応して対面式厨房装置のリビング・ダイニングルーム側の前面に形成された開口を覆うことのできる遮蔽板が設けられ、遮蔽板の表面に鏡が設けられるかまたは遮蔽板の表面が鏡面とされ、遮蔽板は、上端部において、蓋体のリビング・ダイニングルーム側の一端部に回動自在に連結され、カウンター部の洗面ボウル側の側面には、下方から上方に向かうガイドレールが設けられ、ガイドレール上を転動して移動可能なコロが遮蔽板の下端部に設けられ、蓋体の上下の回動にともなって、コロがガイドレール上を移動し、遮蔽板の上下動が可能になっている請求項１記載の対面式厨房装置。
【請求項１２】
蓋体の直下に仮置きカウンターが設けられている請求項３ないし１１いずれか１項に記載の対面式厨房装置。
【発明の詳細な説明】
【技術分野】
【０００１】
本願発明は、対面式厨房装置に関する。
【背景技術】
【０００２】
住宅の間取りでは、キッチンとリビング・ダイニングルームを隣接させ、続き間とするのが主流となっている。この場合、キッチンに配設される厨房装置は、キッチンとリビング・ダイニングルームの境界に設置される対面式となっている。
【０００３】
対面式厨房装置は、調理、後片付け等のキッチンでの作業を開放感のある空間で、しかも会話を交えた和やかな雰囲気で行うのを可能にしている。キッチンでの作業はリビング・ダイニングルームに向かって行うことができ、このため、開放感を味わえ、配膳や後片付けは、対面式厨房装置に備えたカウンター部を経由して行うことができる。
【０００４】
一方、厨房装置として、シンクと、洗面ボウルと、開閉自在とされ、洗面ボウルの上を覆うことができる蓋体とを備え、蓋体の閉時における上面に調理面を形成したものを本出願人は提案している（特許文献１）。
【特許文献１】実願昭５７−１３９４５５号（実開昭５９−４４３４９号）のマイクロフィルム
【発明の開示】
【発明が解決しようとする課題】
【０００５】
厨房装置への洗面ボウルの組み込みは、対面式厨房装置にも要望され始めている。手洗いや洗顔、化粧等の身支度は、わざわざ洗面室まで足を運ばずにリビング・ダイニングルームで行うことができれば、大変便利である。また、洗面室は、一般に、比較的暗い場所であり、照明によっても顔色が異なって見えることがあるとともに、狭く、冬場は寒いなど環境的に決して快適な場所であるとは言い切れない。その点、リビング・ダイニングルームは住宅の中でも最も明るい場所であり、顔色が自然色に近く見え、エアコンなどの空調機器が設置されているため、良好な環境にある。
【０００６】
しかしながら、先に提案した厨房装置は対面式厨房装置でなく、洗面ボウルがシンクの横に並設されているため、手洗いや洗顔、化粧等の身支度を行うには、キッチンまで回り込む必要があり、動線が長くなる。
【０００７】
しかも、先に提案した厨房装置では、洗面ボウルを覆うことができる蓋体の閉時における上面を調理面として利便性を向上させているが、調理面として使用に耐えるようにするためには、構造や材質上の制約がかなりあるのが実際であった。
【０００８】
本願発明は、このような事情に鑑みてなされたものであり、洗面ボウルが使い勝手よく簡便に組み込まれた対面式厨房装置を提供することを課題としている。
【課題を解決するための手段】
【０００９】
本願発明は、上記の課題を解決するために、第１に、キッチンとリビング・ダイニングルームとの境界に設置される対面式厨房装置において、シンクをキッチン側に、洗面ボウルをリビング・ダイニングルーム側に備え、洗面ボウルが、シンクの背側からキッチンダイニング・ルーム側にかけて設けられたカウンター部の下方に収納されるとともに、シンクに対面して配置され、洗面ボウルの上方に位置するカウンター部の天板の一部が上下に回動する蓋体を兼ねていることを特徴としている。
【００１０】
本願発明は、第２に、蓋体の裏面に鏡が設けられているかまたは蓋体の裏面が鏡面になっていることを特徴としている。
【００１１】
本願発明は、第３に、蓋体は、一つの回動軸または二つの回動軸により上下に回動自在とされていることを特徴としている。
【００１２】
本願発明は、第４に、蓋体の左右両側に支持アームが設けられ、支持アームの一端が、カウンター部に、水平に配置された第１の回動軸により支持され、他端が、水平に配置された第２の回動軸を介して蓋体に接続されていることを特徴としている。
【００１３】
本願発明は、第５に、蓋体は横に二分割され、第１の蓋体は、キッチン側の一端部においてカウンター部に、水平に配置された第１の回動軸により支持され、第２の蓋体は、一端部において第１の蓋体の他端部に、水平に配置された第２の回動軸により支持されていることを特徴としている。
【００１４】
本願発明は、第６に、蓋体は横に二分割され、第１の蓋体は、キッチン側の一端部においてカウンター部に、水平に配置された回動軸により支持され、第２の蓋体は、第１の蓋体に、上下左右に回動自在に支持されていることを特徴としている。
【００１５】
本願発明は、第７に、山型形状を有し、蓋体の下端部を係止可能な係止部が連設された角度調整ラックが、カウンター部の上端部において洗面ボウル側の側面に配設され、角度調整ラックは、リビング・ダイニングルーム側からキッチン側に向かって延びていることを特徴としている。
【００１６】
本願発明は、第８に、蓋体または第１の蓋体のキッチン側の側端部に、先端にクリック球を有する弾性体が配設され、蓋体または第１の蓋体のキッチン側の側端部に対向するカウンター部の側面に、クリック球の係合が可能な複数の係合穴が形成され、係合穴が円弧状に配列している角度調整板が設けられていることを特徴としている。
【００１７】
本願発明は、第９に、蓋体の閉時の側端部に対向するカウンター部の側面に、リビング・ダイニングルーム側からキッチン側に向かって延びる第１のガイドレールが設けられるとともに、カウンター部の洗面ボウル側の側面には、蓋体の略中央部に対応する部位からキッチン側に向かって斜め下方に延びる第２のガイドレールが設けられ、蓋体の側端部に、第１のガイドレール上を転動して移動可能な第１のコロと第２のガイドレール上を転動して移動可能な第２のコロが設けられ、第１のコロは、蓋体の閉時にリビング・ダイニングルーム側に位置する一端部に配置され、第２のコロは、蓋体の略中央に配置され、第１のコロの第１のガイドレール上の移動および第２のコロの第２のガイドレール上の移動によって、蓋体が上下に回動することを特徴としている。
【００１８】
本願発明は、第１０に、蓋体の閉時の側端部に対向するカウンター部の側面に、リビング・ダイニングルーム側からキッチン側に向かって延びるガイドレールが設けられ、蓋体の側端部の略中央にガイドレール上を転動して移動可能なコロが設けられ、蓋体は、コロを中心として上下に回動可能であるとともに、コロのガイドレール上の移動にともなって前後動も可能とされていることを特徴としている。
【００１９】
本願発明は、第１１に、洗面ボウルの配設位置に対応して対面式厨房装置のリビング・ダイニングルーム側の前面に形成された開口を覆うことのできる遮蔽板が設けられ、遮蔽板の表面に鏡が設けられるかまたは遮蔽板の表面が鏡面とされ、遮蔽板は、上端部において、蓋体のリビング・ダイニングルーム側の一端部に回動自在に連結され、カウンター部の洗面ボウル側の側面には、下方から上方に向かうガイドレールが設けられ、ガイドレール上を転動して移動可能なコロが遮蔽板の下端部に設けられ、蓋体の上下の回動にともなって、コロがガイドレール上を移動し、遮蔽板の上下動が可能になっていることを特徴としている。
【００２０】
本願発明は、第１２に、蓋体の直下に仮置きカウンターが設けられていることを特徴としている。
【発明の効果】
【００２１】
本願の第１の発明によれば、洗面ボウルが、対面式厨房装置のリビング・ダイニングルーム側に配置されているため、手洗いや洗顔、化粧等の身支度をリビング・ダイニングルームで行うことができ、動線が短くなり、使い勝手に優れる。また、洗面ボウルは、対面式厨房装置に設けられたカウンター部の下方に収納されるため、簡便に洗面ボウルを対面式厨房装置に組み込むことができ、納まりがよく、しかも、見栄えがよい。洗面ボウルの未使用時には、洗面ボウルを蓋体によって隠すことができ、使用時に蓋体を開けて洗面ボウルを使用することができる。蓋体は、カウンター部に設けられる天板の一部であり、閉時には、配膳や後片付けの際に食器等を上に置くことができ、通常のカウンター部と同様に使用することができる。さらに、洗面ボウルは、キッチン側に位置するシンクに対面しているため、給湯・給水配管および排水配管を集約することができ、配管工事を容易にすることができる。
【００２２】
本願の第２の発明によれば、蓋体の開時に鏡の使用が可能となり、洗顔、化粧等の身支度に便利となる。
【００２３】
本願の第３の発明によれば、蓋体の上下の回動が容易に可能となり、多彩な蓋体の回動が可能ともなる。
【００２４】
本願の第４の発明によれば、蓋体の傾きの調節が可能になり、鏡または鏡面をリビング・ダイニングルーム側に引き寄せて配置することができるとともに、反転させることもでき、鏡または鏡面を上に向け、顔を下から覗き込んだり、口の中を見たりすることができる。また、鏡または鏡面をキッチン側に向けることも可能であり、キッチンを映すことができるとともに、流元灯の光の反射によってシンク周りを明るくすることができる。
【００２５】
本願の第５の発明によれば、洗顔、化粧等の身支度の際に、鏡または鏡面をリビング・ダイニングルーム側に引き寄せて配置することができる。
【００２６】
本願の第６の発明によれば、鏡または鏡面を左右に回動させることもできるので、鏡または鏡面の配置の微調節が可能であり、また、鏡または鏡面をキッチン側に向けることも可能であり、キッチンを映すことができるとともに、流元灯の光の反射によってシンク周りを明るくすることができる。
【００２７】
本願の第７および第８の発明によれば、蓋体を所望の傾きで開いた状態に保持させることができる。
【００２８】
本願の第９の発明によれば、蓋体を洗面ボウルの背側に配置させ、低い位置に配置させることができ、子どもや年配者の洗面ボウルの使用を容易にする。
【００２９】
本願の第１０の発明によれば、蓋体は、上下に回動自在であるとともに、前後に移動自在であり、必要に応じて鏡または鏡面をリビング・ダイニングルーム側またはキッチン側に配置させることができる。
【００３０】
本願の第１１の発明によれば、蓋体の上下回動に合わせて遮蔽板を上下に移動させることができ、蓋体の開時に、遮蔽板の表面に設けられた鏡または遮蔽板の表面の鏡面を使用することができる。また、遮蔽板は、蓋体の閉時に、洗面ボウルの配設位置に対応して対面式厨房装置のリビング・ダイニングルーム側の前面に形成された開口を覆うことができ、洗面ボウルの未使用時に洗面ボウルを完全に隠すことができる。洗面ボウルの未使用時の外観を良好にすることができる。
【００３１】
本願の第１２の発明によれば、水を使用しない化粧等の簡易な身支度の際にも、小物等を仮置きカウンターの上に置くことができる。
【発明を実施するための最良の形態】
【００３２】
図１は、本願発明の対面式厨房装置の一実施形態を示した断面図である。
【００３３】
図１に示した対面式厨房装置は、キッチンとリビング・ダイニングルームとの境界に設置されている。キッチン側にシンク１が、リビング・ダイニングルーム側に洗面ボウル２が設けられ、洗面ボウル２はシンク１に対面して配置されている。シンク１、洗面ボウル２のそれぞれにカラン３、４が配設されている。
【００３４】
また、図１に示した対面式厨房装置では、シンク１の背側からリビング・ダイニングルーム側にかけて一段高くなったカウンター部５が設けられている。洗面ボウル２は、カウンター部５の下方に収納されている。収納位置は、たとえば図１に示したように、人が椅子に座った状態で、手洗い、洗顔、化粧等を行える位置とすることができる。もちろん、立った状態においても、人が楽に洗面ボウル２を使用することができる位置にすることができる。カウンター部５には上端部に天板６が設けられており、洗面ボウル２の上方に位置する一部の天板６は、上下に回動して開閉する蓋体７を兼ねている。蓋体７は、カウンター部５のキッチン側の上端部に配設された一つの回動軸８により支持され、上下に回動自在とされている。蓋体７は、閉時には、洗面ボウル２の上方に位置し、カウンター部５の天板６の一部を形成し、洗面ボウル２およびカラン４を隠すことができる。洗面ボウル２を使用する際には、蓋体７を上方に回動させて開ける。手洗い、洗顔等のスペースが開放され、洗面ボウル２およびカラン４が現れる。
【００３５】
したがって、図１に示した対面式厨房装置では、洗面ボウル２が、対面式厨房装置のリビング・ダイニングルーム側に配置されているため、手洗いや洗顔、化粧等の身支度をリビング・ダイニングルームで行うことができる。キッチンにまで回り込む必要がなく、動線が短くなり、使い勝手に優れる。また、洗面ボウル２は、対面式厨房装置に設けられたカウンター部５の下方に収納されるため、簡便に組み込まれ、納まりがよく、しかも、見栄えがよい。洗面ボウル２の未使用時には、洗面ボウル２を蓋体７によって隠すことができ、使用時に蓋体７を開けて使用することができる。蓋体７は、カウンター部５に設けられる天板６の一部であり、閉時には配膳や後片付けの際に食器等を上に置くことができ、通常のカウンター部５と同様に使用することができる。さらに、洗面ボウル２は、キッチン側に位置するシンク１に対面しているため、給湯・給水配管および排水配管を集約することができ、配管工事を容易にすることができる。そして、洗面ボウル２の使用時には、蓋体７は上方に回動して開かれるので、水の飛散は立ち上がった蓋体７によって防止され、キッチン側を水で濡らすことはない。同様に、シンク１の使用時の水の飛散も防止することができ、リビング・ダイニングルーム側を水で濡らすことはない。また、蓋体７を立てて開いた状態では、シンク１がリビング・ダイニングルームから見えなくなり、来客時等にキッチンを見せたくない場合に好都合となる。
【００３６】
図１に示した対面式厨房装置では、さらに、蓋体７の裏面に鏡９が設けられている。洗顔、化粧等の身支度の際に、鏡９に姿を映し出して行うことができ、便利になっている。鏡９は、洗面ボウル２の使用時に開かれる蓋体７の裏面に設けられているので、鏡９を取り付ける場所や部材を別途用意する必要がなく、対面式厨房装置にコンパクトに納まる。
【００３７】
なお、鏡９については、以下の実施形態にも共通することであるが、蓋体７に別体として設けることができるばかりでなく、蓋体７の裏面を鏡面とすることにより鏡９が形成されるようにすることも可能である。
【００３８】
図２は、蓋体の回動機構の一形態を示した要部断面図である。
【００３９】
蓋体７の左右両側に支持アーム１０が設けられている。支持アーム１０の一端は、カウンター部５に、水平に配置された第１の回動軸８ａにより支持され、他端は、水平に配置された第２の回動軸８ｂを介して蓋体７に接続されている。
【００４０】
蓋体７は、次のように回動する。
【００４１】
図３に示したように、蓋体７を開ける場合には、回動軸８ａを中心として蓋体７を上方に回動させる。リビング・ダイニングルーム側に鏡９が現れる。蓋体７は、この時の回動により開けられるが、見やすくするために、鏡９をリビング・ダイニングルーム側に引き寄せて配置したいというニーズもある。この場合、図４に示したように、支持アーム１０を、回動軸８ａを中心としてリビング・ダイニングルーム側に回動させて傾けるとともに、蓋体７を、回動軸８ｂを中心として下端側がリビング・ダイニングルーム側に向かうように回動させる。蓋体７の傾斜角度は小さくなるが、鏡９は、図３に示した状態と比較すると、リビング・ダイニングルーム側に近づく。
【００４２】
また、図２に示した蓋体７は、図５に示したように、裏返して閉めることもできる。図４に示した開状態において、支持アーム１０を、回動軸８ａを中心として回動させ、蓋体７の閉時と同じ位置まで倒すとともに、蓋体７を、回動軸８ｂを中心として下端側がリビング・ダイニングルーム側に向かうように回動させる。蓋体７は反転し、鏡９が上を向き、天板６と同一平面上に配置される。たとえば、顔を下から見たい時や口の中を見たい時などに、このような蓋体７の反転は有効となる。
【００４３】
さらに、図２に示した蓋体７は、図６に示したように、鏡９をキッチン側に向けるように配置することも可能である。図２に示したように、回動軸８ａを中心として支持アーム１０を上方に回動させ、起こすとともに、蓋体７を、回動軸８ｂを中心として下端側がキッチン側に向かうように回動させる。このようにして、図６に示したように、鏡９をキッチン側に向けることができる。キッチンでも鏡９の使用が可能となり、鏡９に映して見ることができ、また、流元灯の光の反射によって、図１に示したシンク１の周りを明るくすることができる。二つの回動軸８ａ、８ｂの採用によって蓋体７の多彩な上下動が可能となり、ニーズに応じた鏡９の配置が可能となる。
【００４４】
図７は、蓋体の回動機構の別の形態を示した要部斜視図である。
【００４５】
蓋体７は横に二等分され、大きさの等しい第１の蓋体７ａと第２の蓋体７ｂに分けられている。第１の蓋体７ａは、キッチン側の一端部においてカウンター部５に、水平に配置された第１の回動軸８ａにより支持されている。第２の蓋体７ｂは、一端部において第１の蓋体７ａの他端部に、水平に配置された第２の回動軸８ｂにより支持されている。第１の蓋体７ａ、第２の蓋体７ｂは、ともに裏面に鏡９を備えている。
【００４６】
第１の蓋体７ａおよび第２の蓋体７ｂを一体として開ける場合には、第１の回動軸８ａを回動の中心として上方へ回動させる。一方、第２の蓋体７ｂは第１の蓋体７ａに対して回動自在になっているため、第２の蓋体７ｂを開いたまま、第１の蓋体７ａを閉めることができる。第２の蓋体７ｂは、リビング・ダイニングルーム側に配置されるので、鏡９をリビング・ダイニングルーム側に引き寄せることができる。洗顔、化粧等の身支度の際に、鏡９をリビング・ダイニングルーム側に引き寄せて使用することができる。
【００４７】
なお、第２の蓋体７ｂは、第１の蓋体７ａに第２の回動軸８ｂにより支持されているので、単独で開閉することができる。したがって、第１の蓋体７ａを閉じたまま、第２の蓋体７ｂのみを開けることが可能である。
【００４８】
図８は、蓋体の回動機構の別の形態を示した要部斜視図である。
【００４９】
蓋体７は横に二分割され、大きさの異なる２つの蓋体、すなわち、小さな第１の蓋体７ａと大きな第２の蓋体７ｂに分かれている。第１の蓋体７ａの裏面には鏡９は設けられてなく、第２の蓋体７ｂにのみ鏡９が設けられている。第１の蓋体７ａは、キッチン側の一端部においてカウンター部５に、水平に配置された回動軸８により支持されている。第２の蓋体７ｂは、第１の蓋体７ａに、上下左右に回動自在に支持されている。たとえば多関節のヒンジ等を用いて第２の蓋体７ｂは第１の蓋体７ａに支持されている。したがって、第２の蓋体７ｂは、開くことができるようになっているばかりでなく、左右に回動することもできる。鏡９の配置の微調節を行うことができる。また、図２に示した蓋体７と同様に、鏡９を反転させたり、キッチン側に向けたりすることもできる。ニーズに応じた鏡９の配置が可能となっている。
【００５０】
図９（ａ）（ｂ）は、それぞれ、図２に示した蓋体の開時の保持機構を示した要部断面図である。
【００５１】
カウンター部５のリビング・ダイニングルーム側の上端部において洗面ボウル２側の側面に、リビング・ダイニングルーム側からキッチン側に向かって延びる角度調整ラック１１が設けられている。角度調整ラック１１には、山型形状を有する係止部１２が、角度調整ラック１１の長さ方向に連設されている。係止部１２は、蓋体７の下端部を係止可能としている。したがって、蓋体７の下端部を係止部１２に係止させることにより、蓋体７を所望の角度に傾けて開いた状態に保持させることができる。
【００５２】
図１０は、図１に示した蓋体および図７、図８に示した第１の蓋体の開時の保持機構を示した要部分解斜視図である。
【００５３】
蓋体７および第１の蓋体７ａのシンク１側の一端部の裏面側に切欠１３が設けられ、切欠１３に回動軸８または第１の回動軸８ａが嵌め込まれる。また、切欠１３と平行に別の切欠１４が設けられ、切欠１４に、先端にクリック球１５を有するコイルバネ１６がクリック球１５とともに嵌め込まれる。クリック球１５は、コイルバネ１６の伸縮にともなって横方向に移動することができるようになっている。１７は、押さえ板であり、回動軸８、第１の回動軸８ａおよびコイルバネ１６の脱落を防止するために、蓋体７および第１の蓋体７ａのシンク１側の一端部に装着される。押さえ板１７は断面略Ｌ字型の部材であり、側面には、回動軸８および第１の回動軸８ａの先端部、そしてクリック球１５が外側に突出するように開口１８が形成されている。
【００５４】
また、図１０に示した蓋体および第１の蓋体の開時の保持機構では、図１に示したカウンター部５のシンク１側の一端部において洗面ボウル２側の側面に角度調整板１９が設けられる。角度調整板１９は、扇形の形状を有し、回動軸８または第１の回動軸８ａが差し込まれる中心穴２０が形成されている。中心穴２０の周りには、クリック球１５の係合が可能な複数の係合穴２１が形成されている。係合穴２１は円弧状に配列されている。
【００５５】
したがって、図１０に示した蓋体および第１の蓋体の開時の保持機構では、クリック球１５が係合穴２１に順に係合、解除しながら、蓋体７および第１の蓋体７ａは、上下に回動する。この時の蓋体７および第１の蓋体７ａの回動操作は、クリック感があり、クリック球１５の係合穴２１への係合状態を触角、聴覚で確認することができる。クリック球１５を一つの係合穴２１に係合させると、蓋体７および第１の蓋体７ａを所望の角度に傾けて開いた状態に保持させることができる。
【００５６】
図１１は、蓋体の回動機構の別の形態を示した要部断面図である。
【００５７】
蓋体７の閉時の側端部に対向するカウンター部５の側面に、リビング・ダイニングルーム側からキッチン側に向かって延びる第１のガイドレール２２が設けられるとともに、カウンター部５の洗面ボウル２側の側面には、蓋体７の略中央部に対応する部位からキッチン側に向かって斜め下方に第２のガイドレール２３が設けられている。また、蓋体７の側端部に、第１のガイドレール２２上を転動して移動可能な第１のコロ２４と第２のガイドレール２３上を転動して移動可能な第２のコロ２５が設けられている。第１のコロ２４は、蓋体７の閉時にリビング・ダイニングルーム側に位置する一端部に配置され、第２のコロ２５は、蓋体７の略中央に配置されている。
【００５８】
蓋体７を開ける際には、蓋体７のキッチン側の一端部を下方に押し下げるようにして蓋体７を移動させる。この時、第１のコロ２４は第１のガイドレール２２上を転動しながらキッチン側に向かって移動し、第２のコロ２５は第２のガイドレール２３上を下方に向かって転動しながら移動する。蓋体７が完全に開いた状態では、蓋体７は、洗面ボウル２の背側に配置される。蓋体７の裏面に設けられる前述の鏡９または裏面の鏡面は、リビング・ダイニングルーム側に向かって配置される。
【００５９】
このように、図１１に示した蓋体の回動機構では、蓋体７を洗面ボウル２の背側に配置させ、低い位置に配置させることができるので、子どもや年配者の洗面ボウル２の使用を容易にする。
【００６０】
蓋体７を閉める際には、開いた状態において蓋体７の上端部をリビング・ダイニングルーム側に引き寄せるようにして操作する。第１のコロ２４の第１のガイドレール２２上の移動および第２のコロ２５の第２のガイドレール２３上の移動にともなって蓋体７は閉まる。
【００６１】
図１２は、蓋体の回動機構の別の形態を示した要部断面図である。
【００６２】
蓋体７の閉時の側端部に対向するカウンター部５の側面に、リビング・ダイニングルーム側からキッチン側に向かって延びるガイドレール２６が設けられている。また、蓋体７の側端部の略中央にガイドレール２６上を転動して移動可能なコロ２７が設けられている。そして、蓋体７は、コロ２７を中心として上下に回動可能であるとともに、コロ２７のガイドレール２６上の移動にともなって前後動も可能とされている。
【００６３】
したがって、図１２に示した蓋体の回動機構では、蓋体７は、コロ２７を中心として上下に回動させることで開閉し、開けた状態において前後に移動可能である。蓋体７を任意の角度に開くことができるとともに、開いた状態においてリビング・ダイニングルーム側またはキッチン側に配置させることができる。蓋体７の裏面には鏡９が設けられるかまたは蓋体７の裏面が鏡面とされているため、見やすい位置に鏡９または鏡面を配置することができる。
【００６４】
図１３は、蓋体の回動機構の別の形態を示した要部断面図である。
【００６５】
洗面ボウル２の配設位置に対応して対面式厨房装置のリビング・ダイニングルーム側の前面に形成された開口２８を覆うことのできる遮蔽板２９が設けられている。遮蔽板２９の表面には鏡が設けられるかまたは遮蔽板２９の表面が鏡面とされている。蓋体７の裏面には鏡は設けられず、また、蓋体７の裏面は鏡面とされていない。遮蔽板２９は、上端部において、蓋体７のリビング・ダイニングルーム側の一端部にヒンジ３０により回動自在に連結されている。
【００６６】
また、カウンター部５の洗面ボウル２側の側面には、下方から上方に向かうガイドレール３１が設けられている。ガイドレール３１は、放物線の一部の形状を有している。さらに、カウンター部５の洗面ボウル２側の側面には、蓋体７のキッチン側の一端部の直下に対応する位置に転動可能なコロ３２が設けられている。そして、遮蔽板２９には、下端部に、ガイドレール３１上を転動して移動可能なコロ３３が設けられている。
【００６７】
図１３に示した蓋体の回動機構では、蓋体７を、コロ３２を中心として上方に回動させると、コロ３３がガイドレール３１上を転動しながら上方に移動し、この移動にともなって遮蔽板２９が上方に移動する。遮蔽板２９は、ヒンジ３０によって上端部が蓋体７のリビング・ダイニングルーム側の一端部に回動自在に連結されているので、上方への移動につれて、蓋体７に近づいていく。蓋体７が開いた状態では、遮蔽板２９は洗面ボウル２の上方に位置し、洗面ボウル２およびカラン４が現れる。手洗いや洗顔、化粧等の身支度のためのスペースが開放される。また、遮蔽板２９の表面に設けられた鏡９または遮蔽板２９の表面の鏡面がリビング・ダイニングルーム側を向く。
【００６８】
蓋体７を下方に回動させると、コロ３３がガイドレール３１上を転動しながら移動し、この移動にともなって遮蔽板２９は下方に移動する。蓋体７が閉まった状態では、遮蔽板２９は、開口２８を覆う。
【００６９】
このように、図１３に示した蓋体の回動機構では、蓋体７の上下回動に合わせて遮蔽板２９を上下に移動させることができる。蓋体７の開時には、洗面ボウル２を使用することができ、遮蔽板２９の表面に設けられた鏡または遮蔽板の表面の鏡面を使用することができる。また、遮蔽板２９は、蓋体７の閉時に、洗面ボウル２の配設位置に対応して対面式厨房装置のリビング・ダイニングルーム側の前面に形成された開口２８を覆い、洗面ボウル２の未使用時に洗面ボウル２を完全に隠すことができる。洗面ボウル２の未使用時の外観を良好にすることができる。
【００７０】
図１４は、本願発明の対面式厨房装置の別の実施形態を示した要部斜視図である。
【００７１】
図１４に示した対面式厨房装置では、図１に示した対面式厨房装置において、蓋体７の直下に仮置きカウンター３４が設けられている。仮置きカウンター３４は、洗面ボウル２の上方を覆う水平板部３５と、洗面ボウル２の配設位置に対応して対面式厨房装置のリビング・ダイニングルーム側の前面に形成された開口２８を覆う垂直板部３６とを備えている。
【００７２】
蓋体７を上方に回動させて開けると、洗面ボウル２の上方には仮置きカウンター３４が現れる。鏡９は、リビング・ダイニングルーム側に向かっているので、水を使用しない化粧等の簡易な身支度の際には、仮置きカウンター３４を配置したままの状態で、身支度をリビング・ダイニングルームで行うことができる。身支度に使用する小物等は、仮置きカウンター３４の上に置くことができ、便利である。このような仮置きカウンター３４は、蓋体７と同様に、キッチン側の一端部において回動自在に支持されている。したがって、手洗い、洗顔等の水を使用する時は、仮置きカウンター３４を上方に回動させ、開けることができる。手洗い、洗顔等のためのスペースが開放される。
【００７３】
仮置きカウンター３４は、また、図１５に示したように、水平板部３５のみによって形成することもできる。この場合、奥行を短くしたり、透明な素材から形成したりすることにより、仮置きカウンター３４を配置したままの状態でカラン４を使用可能にすることができる。小物等を仮置きカウンター３４の上に置いて手洗い等を行うことができ、使い勝手が向上する。
【図面の簡単な説明】
【００７４】
【図１】本願発明の対面式厨房装置の一実施形態を示した断面図である。
【図２】蓋体の回動機構の一形態を示した要部断面図である。
【図３】蓋体の回動の様子を示した要部断面図である。
【図４】蓋体の回動の様子を示した要部断面図である。
【図５】蓋体の回動の様子を示した要部断面図である。
【図６】蓋体の回動の様子を示した要部断面図である。
【図７】蓋体の回動機構の別の形態を示した要部斜視図である。
【図８】蓋体の回動機構の別の形態を示した要部斜視図である。
【図９】（ａ）（ｂ）は、それぞれ、図２に示した蓋体の開時の保持機構を示した要部断面図である。
【図１０】図１に示した蓋体および図７、図８に示した第１の蓋体の開時の保持機構を示した要部分解斜視図である。
【図１１】蓋体の回動機構の別の形態を示した要部断面図である。
【図１２】蓋体の回動機構の別の形態を示した要部断面図である。
【図１３】蓋体の回動機構の別の形態を示した要部断面図である。
【図１４】本願発明の対面式厨房装置の別の実施形態を示した要部斜視図である。
【図１５】仮置きカウンターの別の形態を示した要部斜視図である。
【符号の説明】
【００７５】
１    シンク
２    洗面ボウル
３、４    カラン
５    カウンター部
６    天板
７    蓋体
７ａ    第１の蓋体
７ｂ    第２の蓋体
８    回動軸
８ａ    第１の回動軸
８ｂ    第２の回動軸
９    鏡
１０    支持アーム
１１    角度調整ラック
１２    係止部
１３、１４    切欠
１５    クリック球
１６    コイルバネ
１７    押さえ板
１８    開口
１９    角度調整板
２０    中心穴
２１    係合穴
２２    第１のガイドレール
２３    第２のガイドレール
２４    第１のコロ
２５    第２のコロ
２６    ガイドレール
２７    コロ
２８    開口
２９    遮蔽板
３０    ヒンジ
３１    ガイドレール
３２、３３    コロ
３４    仮置きカウンター
３５    水平板部
３６    垂直板部
【図１】
2007054409.tif 000003
【図２】
2007054409.tif 000004
【図３】
2007054409.tif 000005
【図４】
2007054409.tif 000006
【図５】
2007054409.tif 000007
【図６】
2007054409.tif 000008
【図１２】
2007054409.tif 000009
【図１３】
2007054409.tif 000010
【図７】
2007054409.tif 000011
【図８】
2007054409.tif 000012
【図９】
2007054409.tif 000013
【図１０】
2007054409.tif 000014
【図１１】
2007054409.tif 000015
【図１４】
2007054409.tif 000016
【図１５】
2007054409.tif 000017